(57)【要約】【課題】キーボックスを、所定の固定場所に容易に取り付けることができるようにするとともに、固定場所から容易に持ち運べるようにしたキーボックスの取付構造を提供すること。【解決手段】複数の鍵Ｋを収納するようにした着磁性材料からなるキーボックス１を、マグネットシート２を介して、着磁性材料からなる固定側３に取り付けるようにしたキーボックス１の取付構造であって、マグネットシート２が、両面がキーボックス１を磁着・支持できる磁着力を有し、かつ、一方の面の磁着力が他方の面の磁着力よりも小さく設定されている。【選択図】図１
0003128142.tif 000002
【実用新案登録請求の範囲】
【請求項１】
複数の鍵を収納するようにした着磁性材料からなるキーボックスを、マグネットシートを介して、着磁性材料からなる固定側に取り付けるようにしたキーボックスの取付構造であって、前記マグネットシートが、両面がキーボックスを磁着・支持できる磁着力を有し、かつ、一方の面の磁着力が他方の面の磁着力よりも小さく設定されてなることを特徴とするキーボックスの取付構造。
【請求項２】
マグネットシートの一方の面の磁着力が他方の面の磁着力の３０〜８０％に設定されてなることを特徴とする請求項１記載のキーボックスの取付構造。
【考案の詳細な説明】
【技術分野】
【０００１】
本考案は、キーボックスの取付構造に関し、特に、キーボックスを、所定の固定場所に容易に取り付けることができるようにするとともに、固定場所から容易に持ち運べるようにしたキーボックスの取付構造に関するものである。
【背景技術】
【０００２】
従来、住宅や事務所、宿泊施設の部屋、自動車等の鍵を集中管理する場合に、複数の鍵を収納できるようにしたキーボックスが汎用されている。
【０００３】
ところで、この種のキーボックスは、通常、固定側に、専用の固定金具を用いたり、キーボックスの背面板をビス等の固定金具を用いて取り付けるようにしている。
【０００４】
このため、このキーボックスの固定場所への取り付けに手数を要したり、固定側を傷付けるため固定金具を用いることに制約があったり、一旦固定してしまうとキーボックスの固定場所からの取り外しに手数を要し、キーボックスを持ち運べるようにすることが困難になるという問題があった。
【考案の開示】
【考案が解決しようとする課題】
【０００５】
本考案は、上記従来のキーボックスの有する問題点に鑑み、キーボックスを、所定の固定場所に容易に取り付けることができるようにするとともに、固定場所から容易に持ち運べるようにしたキーボックスの取付構造を提供することを目的とする。
【課題を解決するための手段】
【０００６】
上記目的を達成するため、本考案のキーボックスの取付構造は、複数の鍵を収納するようにした着磁性材料からなるキーボックスを、マグネットシートを介して、着磁性材料からなる固定側に取り付けるようにしたキーボックスの取付構造であって、前記マグネットシートが、両面がキーボックスを磁着・支持できる磁着力を有し、かつ、一方の面の磁着力が他方の面の磁着力よりも小さく設定されてなることを特徴とする。
【０００７】
この場合において、マグネットシートの一方の面の磁着力が他方の面の磁着力の３０〜８０％に設定することができる。
【考案の効果】
【０００８】
本考案のキーボックスの取付構造によれば、複数の鍵を収納するようにした着磁性材料からなるキーボックスを、マグネットシートを介して、着磁性材料からなる固定側に取り付けるようにしているので、固定側を傷付けることなく、キーボックスを、着磁性材料からなる所定の固定場所に容易に取り付けることができる。
また、マグネットシートが、両面がキーボックスを磁着・支持できる磁着力を有し、かつ、一方の面の磁着力が他方の面の磁着力よりも小さく設定されてなることから、固定状態にあるキーボックスを、マグネットシートの磁着力を小さく設定されている面の側で、固定場所から比較的小さな力で取り外し、容易に持ち運べるようにすることができる。
【考案を実施するための最良の形態】
【０００９】
以下、本考案のキーボックスの取付構造の実施の形態を、図面に基づいて説明する。
【実施例１】
【００１０】
図１〜図２に、本考案のキーボックスの取付構造の一実施例を示す。
このキーボックスの取付構造は、複数の鍵Ｋを収納するようにした鉄板等の着磁性材料から製作されたキーボックス１を、マグネットシート２を介して、鉄板等の着磁性材料から製作された扉、書庫、キャビネット等の固定側３に取り付けるようにしたキーボックス１の取付構造に関するもので、マグネットシート２に、両面がキーボックス１を磁着・支持できる磁着力を有し、かつ、一方の面の磁着力が他方の面の磁着力よりも小さく設定されているものを使用するようにしている。
なお、本考案のキーボックスの取付構造を適用するキーボックス１は、本実施例においては、把持部１１及びダイヤル錠１２を備えたキーボックスを用いているが、これに限定されず、従来から汎用されている構造のキーボックスを用いることができる。
【００１１】
マグネットシート２は、特に限定されるものではないが、ネオウジム系、コバルト系、フェライト系（ストロンチウムフェライト系、バリウムフェライト系）等の各種磁石の粉末を、例えば、ニトリルゴム系等のバインダ材料を用いてシート状に形成した両面多極着磁方式のマグネットシートを好適に用いることができる。
【００１２】
また、マグネットシート２の一方の面の磁着力が他方の面の磁着力よりも小さく設定する方法としては、マグネットシート２の製造時に一方の面の磁着力が他方の面の磁着力よりも小さくなるように磁着力を設定する方法のほか、両面の磁着力が等しいマグネットシート２の一方の面を合成樹脂やゴム製のシート材で被覆する方法を採用することができる。
【００１３】
そして、マグネットシート２の磁着力は、マグネットシート２の一方の面の磁着力が他方の面の磁着力の１〜９９％の範囲で任意に設定することができるが、好ましくは、マグネットシート２の一方の面の磁着力が他方の面の磁着力の３０〜８０％程度、より好ましくは、６０〜８０％程度に設定するようにする。
【００１４】
このキーボックス１の取付構造によれば、複数の鍵Ｋを収納するようにした鉄板等の着磁性材料から製作されたキーボックス１を、マグネットシート２を介して、鉄板等の着磁性材料から製作された扉、書庫、キャビネット等の固定側３に取り付けるようにしているので、固定側３を傷付けることなく、キーボックス１を、着磁性材料から製作された所定の固定場所に容易に取り付けることができる。
また、マグネットシート２が、両面がキーボックス１を磁着・支持できる磁着力を有し、かつ、一方の面の磁着力が他方の面の磁着力よりも小さく設定されてなることから、固定状態にあるキーボックス１を、マグネットシート２の磁着力を小さく設定されている面の側で、固定場所から比較的小さな力で取り外し、容易に持ち運べるようにすることができる。
なお、固定状態にあるキーボックス１を固定場所から取り外す場合は、把持部１１を持って、キーボックス１の上部を手前側に引くことによって、容易に取り外すことができる。
【００１５】
この場合、固定側３にマグネットシート２の磁着力を小さく設定されている面を向けることによって、キーボックス１を固定場所から取り外す際に、図１（ｂ）に示すように、固定側３とマグネットシート２との間で磁着が外れ、キーボックス１側にマグネットシート２が確実に残るため、キーボックス１を任意の固定場所に再固定することができる。
【００１６】
一方、キーボックス１にマグネットシート２の磁着力を小さく設定されている面を向けることによって、キーボックス１を固定場所から取り外す際に、図１（ｃ）に示すように、キーボックス１とマグネットシート２との間で磁着が外れ、固定側３側にマグネットシート２が確実に残るため、キーボックス１を所定の固定場所の定位置に再固定することができる。
【００１７】
以上、本考案のキーボックスの取付構造について、その実施例に基づいて説明したが、本考案は上記実施例に記載した構成に限定されるものではなく、その趣旨を逸脱しない範囲において適宜その構成を変更することができるものである。
【産業上の利用可能性】
【００１８】
本考案のキーボックスの取付構造は、キーボックスを、所定の固定場所に容易に取り付けることができるようにするとともに、固定場所から容易に持ち運べることから、持ち運ぶことが多いキーボックスの用途に好適に用いることができ、また、新規のキーボックスのほか、マグネットシートを用意するだけで既存のキーボックスにも適用することができる。
【図面の簡単な説明】
【００１９】
【図１】本考案のキーボックスの取付構造の一実施例を示す側面図で、（ａ）はキーボックスを固定側に取り付けた状態、（ｂ）は固定側にマグネットシートの磁着力を小さく設定されている面を向けた場合、（ｃ）はキーボックス側にマグネットシートの磁着力を小さく設定されている面を向けた場合をそれぞれ示す。
【図２】キーボックスを示し、（ａ）は内部構造の説明図、（ｂ）は前面側からの斜視図、（ｃ）は背面側からの斜視図である。
【符号の説明】
【００２０】
１    キーボックス
２    マグネットシート
３    固定側
【図１】
0003128142.tif 000003
【図２】
0003128142.tif 000004